(57)【特許請求の範囲】
【請求項１】
ネットワークの運用状況を監視するための複数のネットワーク監視用端末装置が所要の回線形態で接続されたネットワーク監視システムに用いられ、上記の各ネットワーク監視用端末装置で用いられるネットワーク監視用データを作成するネットワーク監視用データ作成端末装置において、
入力される該ネットワーク監視用データのための情報要素に基づいて該ネットワーク監視用データを生成する監視用データ生成部をそなえ、
該監視用データ生成部が、
該情報要素を一時的に退避するためのデータ退避部と、
任意の順序で入力される該情報要素を、該データ退避部に一時的に退避させることにより所定の順序に組み替えて、該ネットワーク監視用データを生成しうる入力情報要素変換部とをそなえて構成されていることを特徴とする、ネットワーク監視用データ作成端末装置。
【請求項２】
ネットワークの運用状況を監視するための複数のネットワーク監視用端末装置が所要の回線形態で接続されたネットワーク監視システムに用いられ、上記の各ネットワーク監視用端末装置のためのネットワーク監視用データを作成するネットワーク監視用データ作成端末装置において、
作成した該ネットワーク監視用データを上記の各ネットワーク監視用端末装置に転送するための監視用データ転送部をそなえ、
該監視用データ転送部が、該ネットワーク監視用データを各ネットワーク監視用端末装置に転送する際、特定のネットワーク監視用端末装置に該ネットワーク監視用データの転送処理を行なわせるべく、該ネットワーク監視用データにその転送先情報を付加して該ネットワーク監視用データを上記特定のネットワーク監視用端末装置のみに転送する監視用データ転送制御部をそなえて構成されていることを特徴とする、ネットワーク監視用データ作成端末装置。
【請求項３】
ネットワークの運用状況を監視するための複数のネットワーク監視用端末装置が所要の回線形態で接続されたネットワーク監視システムに用いられ、上記の各ネットワーク監視用端末装置のためのネットワーク監視用データを作成するネットワーク監視用データ作成端末装置において、
該ネットワーク監視用データを管理する監視用データ管理部をそなえ、
該監視用データ管理部が、
自己が管理するネットワーク監視用データと上記のネットワーク監視用端末装置で管理されているネットワーク監視用データとの新旧を比較する監視用データ比較部と、
該監視用データ比較部で、上記の各ネットワーク監視用データの新旧が一致しないと判定された場合に、更新用のネットワーク監視用データを用いて、当該ネットワーク監視用端末装置で管理されているネットワーク監視用データを自己が管理する最新のネットワーク監視用データに更新させる監視用データ更新制御部とをそなえて構成されていることを特徴とする、ネットワーク監視用データ作成端末装置。
【請求項４】
ネットワークの運用状況を監視するためのネットワーク監視用データを作成するネットワーク監視用データ作成端末装置を有したネットワーク監視システムに用いられ、該ネットワーク監視用データ作成端末装置で作成される該ネットワーク監視用データに基づいて、該ネットワークの運用状況を監視するネットワーク監視用端末装置において、
外部より転送されてくる該ネットワーク監視用データとその転送先情報とを受信する監視用データ受信部と、
該監視用データ受信部で受信された該転送先情報に基づいて、該ネットワーク監視用データに次の転送先情報を付加して該ネットワーク監視用データを他のネットワーク監視用端末装置に転送する監視用データ転送制御部とをそなえて構成されていることを特徴とする、ネットワーク監視用端末装置。
【請求項５】
ネットワークの運用状況を監視するためのネットワーク監視用データを作成するネットワーク監視用データ作成端末装置を有したネットワーク監視システムに用いられ、該ネットワーク監視用データ作成端末装置で作成される該ネットワーク監視用データに基づいて、該ネットワークの運用状況を監視するネットワーク監視用端末装置において、
該ネットワーク監視用データを管理する監視用データ管理部をそなえ、
該監視用データ管理部が、
該ネットワーク監視用データ作成端末装置からの更新用のネットワーク監視用データを受信する更新用データ受信部と、
該更新用データ受信部で受信された該更新用のネットワーク監視用データに基づいて、自己が管理する該ネットワーク監視用データを更新する監視用データ更新制御部とをそなえて構成されていることを特徴とする、ネットワーク監視用端末装置。
【請求項６】
ネットワークの運用状況を監視するための複数のネットワーク監視用端末装置と、上記の各ネットワーク監視用端末装置のためのネットワーク監視用データを作成するネットワーク監視用データ作成端末装置とが所要の回線形態で接続されたネットワーク監視システムにおいて、
該ネットワーク監視用データ作成端末装置が、
任意の順序で入力される該ネットワーク監視用データのための情報要素を、データ退避領域に一時的に退避させることにより所定の順序に組み替えて、該ネットワーク監視用データを生成しうる監視用データ生成部と、
該ネットワーク監視用データを上記の各ネットワーク監視用端末装置に転送する際、特定のネットワーク監視用端末装置に該ネットワーク監視用データの転送処理を行なわせるべく、該ネットワーク監視用データにその転送先情報を付加して該ネットワーク監視用データを上記特定のネットワーク監視用端末装置のみに転送する監視用データ転送部と、
自己が管理するネットワーク監視情報と、上記のネットワーク監視用端末装置で管理されているネットワーク監視用データとが一致しない場合に、更新用のネットワーク監視用データを用いて、当該ネットワーク監視用端末で管理されているネットワーク監視用データを最新のネットワーク監視用データに更新させる監視用データ管理部とをそなえるとともに、
該ネットワーク監視用端末装置が、
外部より転送されてくる該ネットワーク監視用データとその転送先情報とを受信する監視用データ受信部と、
該監視用データ受信部で受信された該転送先情報に基づいて、該ネットワーク監視用データに次の転送先情報を付加して該ネットワーク監視用データを他のネットワーク監視用端末装置に転送する監視用データ転送制御部と、
該ネットワーク監視用データ作成端末装置からの該更新用のネットワーク監視用データを受信する更新用データ受信部と、
該更新用データ受信部で受信された該更新用のネットワーク監視用データに基づいて、自己が管理する該ネットワーク監視用データを更新する監視用データ管理部とをそなえて構成されていることを特徴とする、ネットワーク監視システム。
【発明の詳細な説明】
【０００１】
（目次）
発明の属する技術分野
従来の技術（図５１）
発明が解決しようとする課題
課題を解決するための手段（図１）
発明の実施の形態
（ａ）第１実施形態の説明（図２〜図１０）
（ｂ）第２実施形態の説明（図１１〜図４５）
（ｃ）第３実施形態の説明（図４６〜図４８）
（ｄ）第４実施形態の説明（図４９，図５０）
発明の効果
【０００２】
【発明の属する技術分野】
本発明は、ネットワークの運用状況を監視するためのネットワーク監視用データ作成端末装置及びネットワーク監視用端末装置並びにネットワーク監視システムに関する。
【０００３】
【従来の技術】
一般的に、ネットワーク監視システムは、ネットワーク運用状況を保守者へ通知するためのネットワーク監視用の端末装置（以下、監視端末装置という）が電力会社などの各事業所（支店）毎に設けられ、それらがＬＡＮ(Local Area Network)やＷＡＮ(Wide Area Network) などの所要の形態のネットワークを介して接続されて構成される。
【０００４】
図５１は一般的なネットワーク監視システムの一例を示すブロック図で、この図５１において、１００−１〜１００−Ｎ（Ｎは自然数）はそれぞれ電力会社などの支店、２００はそれぞれ各支店１００−１〜１００−（Ｎ−１）毎に設けられた監視端末装置、３００は支店１００−Ｎに設けられた作画端末装置、４００はそれぞれ各支店１００−１〜１００−（Ｎ−１）毎に設けられた故障監視装置であり、この場合は、各監視端末装置２００，作画端末装置４００が、それぞれ１系，２系に二重化されたＬＡＮを介して接続されることにより、ネットワーク監視システムが構築されている。
【０００５】
また、５００は分岐装置、６００Ａ，６００Ｂはそれぞれ信号検出装置、７００Ａ，７００Ｂはそれぞれ監視端末制御装置である。なお、８００はそれぞれネットワーク内で遣り取りされる各データの転送ルートをそのデータに付加されている転送先情報に基づいて決定し各データを配信するルータである。
ここで、各監視端末装置２００は、それぞれ、ネットワーク監視用データ（ネットワーク監視用の画面データなど）をデータベース（ＤＢ）にて管理しており、装置やネットワークに障害などの事象が発生した場合に、後述する監視端末制御装置７００Ａ，７００Ｂからの画面表示用データに基づいて、ＤＢを検索して対応するネットワーク監視用データを取得し、それを画面に表示することにより、装置故障などのネットワークの運用状況を各支店１００−１〜１００−（Ｎ−１）の保守者に通知するものである。
【０００６】
また、作画端末装置３００は、これらの各監視端末装置２００で用いられるネットワーク監視用データ（以下、単に監視用データということがある）を保守者により入力されるデータに基づいて作成して、この監視用データのデータベースを作成するとともに、このデータベース中の監視用データを、ネットワークを経由して、各監視端末装置２００内のデータベースにファイル転送するものである。
【０００７】
さらに、各故障監視装置４００は、それぞれ監視端末装置１００などの装置の故障を各支店１００−１〜１００−（Ｎ−１）毎に監視するもので、装置故障などの何らかの異常を検出した場合に、その旨の信号（異常検出信号）を分岐装置５００へ送信するようになっており、分岐装置５００は、この故障監視装置３００から送信された異常検出信号を分岐して、二重化されたＬＡＮの１系，２系にそれぞれ同一信号を送信するものである。
【０００８】
また、各信号検出装置６００Ａ，６００Ｂは、それぞれ分岐装置５００で分岐された異常検出信号が保存すべき信号であるか否かを判定し、その判定結果に応じて、この異常検出信号を送信するものであり、各監視端末制御装置７００Ａ，７００Ｂは、それぞれ各信号検出装置６００Ａ，６００Ｂからの異常検出信号に基づいて、各監視端末装置２００に異常発生を通知するための画面表示用データを生成して、それぞれにこのデータを送信するものである。
【０００９】
このような構成により、上述のネットワーク監視システムでは、まず、支店１００−Ｎの保守者が作画端末装置４００を用いて各監視端末装置２００用の監視用データ（データベース）を作成し、この監視用データをネットワーク（ＬＡＮ１系又は２系）を経由して他の支店１００−１〜１００−（Ｎ−１）の各監視端末装置２００内のデータベースに転送する。
【００１０】
そして、例えば、支店１００−１で装置故障などの異常が発生すると、この異常がその支店１００−１に設けられている故障監視装置４００で検出され、異常検出信号が分岐装置５００，信号検出装置６００Ａ，６００Ｂを介して監視端末制御装置７００Ａ，７００Ｂに送信される。
すると、監視端末制御装置７００Ａ，７００Ｂでは、支店１００−１で異常が発生した旨を各支店１００−１〜１００−（Ｎ−１）に通知すべく、各監視端末装置２００用の画面表示用データを生成し、このデータを各監視端末装置２００に送信する。各監視端末装置２００では、このデータに基づいて、作画端末装置３００で作成され転送された内部のデータベースを検索し、対応する画面表示用の監視用データを獲得して、そのデータをそれぞれ表示することにより、支店１００−１で異常が発生した旨を各１００−１〜１００−（Ｎ−１）の保守者に通知する。
【００１１】
つまり、このネットワーク監視システムは、１つの作画端末装置３００で作成された監視用データ（データベース）を各監視端末装置２００のデータベースへ予め転送しておき、各監視端末装置２００で画面表示すべき監視用データを検索・獲得することにより、ネットワークの運用状況を保守者に通知できるようになっている。
【００１２】
【発明が解決しようとする課題】
しかしながら、上述のネットワーク監視システムでは、１つの作画端末装置３００で作成した大量のデータベースを、作画端末装置３００から複数の監視端末装置２００に１度に転送するので、各監視端末装置２００の接続ポイントやデータベースの転送ルートとして選択された回線に大きな負荷がかかるだけでなく、データベースの送信元である作画端末装置３００自身に大きな負荷がかかり、データベースの転送効率が落ちてしまうという課題がある。
【００１３】
また、このように作画端末装置３００から複数の監視端末装置２００にデータベースを転送する際、ネットワーク監視中の系（例えば、ＬＡＮ１系）を用いてデータベースが転送されると、ネットワークに輻輳が生じ、通常の監視業務に支障をきたす恐れがある。
さらに、このデータベースの転送は、通常、各監視端末装置２００へのデータベースの転送ルートを固定にして行なわれるので、データベースは時間帯によっては負荷の高い回線を経由して転送される可能性があり、この場合も、非常にデータベースの転送効率が悪くななってしまう。また、転送開始時には負荷の軽い転送ルートを用いてデータベースの転送を行なっていても、転送途中に別の要因でその転送ルートの負荷が上がり結果的に転送効率が低下してしまう恐れもある。
【００１４】
さらに、大量のデータベースを複数の監視端末装置２００に転送する場合、データベースの転送が正常に行なわれたか否かの転送結果の確認は、その都度、各監視端末装置２００で行なわなければならないため、保守者にとっては非常に面倒であるとういう課題もある。
また、通常、データベースは多数のデータから構築されているため、作画端末装置３００によりデータベースの一部のデータのみが更新された場合や頻繁にデータベース内のデータが更新された場合、監視端末装置２００がどの時点で生成されたデータベースを使用しているかを確認するには、データベースの作成を行なう作画端末装置３００にて、データベースの更新毎に大量の新旧データベースを保管しておき、データベースを構成している各データ毎の更新日付情報などを、監視端末装置２００側と作画端末装置３００側の両方でいちいち比較する必要がある。
【００１５】
そして、データベースの新旧（データベース版数）を一致させるには作画端末装置３００から全てのデータベースを再度転送するか、更新された部分のデータ（差分データベース）を抽出してその都度転送するしかない。
また、作画端末装置３００によるデータベース作成は、通常、保守者が互いに関連する多数の情報要素群を予め指定された順序に従って入力し、その情報要素群を基に、順次、解析・変換処理を行なうことによって行なわれるが、この際、作画端末装置３００では、先に入力された情報要素から生成される中間データを使って、後に入力された情報要素に対して解析・変換処理を行なうため、入力された情報要素に不足があった場合（例えば、情報要素が指定された順序で入力されなかった場合など）には、その後に入力された情報要素の解析・変換処理が継続できず、所望のデータベースが作成できなくなってしまうことがある。
【００１６】
本発明は、このような課題に鑑み創案されたもので、任意の順序で入力されるネットワーク監視情報用の情報要素を、自動的に、所定の順序に組み替えてネットワーク監視情報を生成できるようにした、ネットワーク監視用データ作成端末装置及びネットワーク監視システムを提供することを第１の目的とする。
また、本発明は、ネットワーク監視用端末装置にネットワーク監視用データの転送処理を行なわせることにより、ネットワーク監視用データの転送処理を高速、且つ、効率的に行なえるようにした、ネットワーク監視用データ作成端末装置及びネットワーク監視用端末装置並びにネットワーク監視システムを提供することを第２の目的とする。
【００１７】
さらに、本発明は、ネットワーク監視用端末装置が管理するネットワーク監視用データを、簡単な手順で、最新のものに更新できるようにした、ネットワーク監視用データ作成端末装置及びネットワーク監視用端末装置並びにネットワーク監視システムを提供することを第３の目的とする。
【００１８】
【課題を解決するための手段】
図１は本発明の原理ブロック図で、この図１において、１はネットワークの運用状況を監視するための複数のネットワーク監視用端末装置、２は各ネットワーク監視用端末装置２で用いられるネットワーク監視用データを作成するネットワーク監視用データ作成端末装置であり、これらの各端末装置１，２が所要の回線形態で接続されてネットワーク監視システムが構築されている。
【００１９】
そして、この図１に示すように、まず、ネットワーク監視用データ作成用端末装置２は、入力されるネットワーク監視用データのための情報要素に基づいてネットワーク監視用データを生成する監視用データ生成部２０，生成（作成）したネットワーク監視用データを各ネットワーク監視用端末装置１に転送するための監視用データ転送部３０及びネットワーク監視用データを管理する監視用データ管理部４０をそなえ、さらに、監視用データ生成部２０がデータ退避部２１及び入力情報要素変換部２２、監視用データ転送部３０が監視用データ転送制御部３１、監視用データ管理部４０が監視用データ比較部４１及び監視用データ更新制御部４２をそれぞれそなえて構成されている。なお、２Ａはネットワーク監視用データ作成端末装置２で作成したネットワーク監視用データを保持しておくデータベースである。
【００２０】
ここで、まず監視用データ生成部２２において、データ退避部２１は、上記の情報要素を一時的に退避するためのものであり、入力情報要素変換部２２は、任意の順序で入力される上記の情報要素を、このデータ退避部２１に一時的に退避させることにより所定の順序に組み替えて、ネットワーク監視用データを生成するものである。
【００２１】
これにより、このネットワーク監視用データ作成端末装置２では、ネットワーク監視用データを生成する際、任意の順序でネットワーク監視用データのための情報要素が入力されても、入力情報要素変換部２２によって、その情報要素をデータ退避部２１に一時的に退避して所定の順序に組み替えることができるので、情報要素の入力順を意識することなく、所望のネットワーク監視用データを生成することができる（請求項１，６）。
【００２２】
また、監視用データ転送部３０において、監視用データ転送制御部３１は、ネットワーク監視用データを各ネットワーク監視用端末装置１に転送する際、特定のネットワーク監視用端末装置１にネットワーク監視用データの転送処理を行なわせるべく、ネットワーク監視用データとともにその転送先情報を上記特定のネットワーク監視用端末装置１のみに転送するものである。
【００２３】
これにより、このネットワーク監視用データ作成端末装置２では、ネットワーク監視用データを各ネットワーク監視用端末装置１に転送する際、ネットワーク監視用データにその転送先情報を付加して特定のネットワーク監視用端末装置１のみに転送することにより、その特定のネットワーク監視用端末装置１にネットワーク監視用データの転送処理を行なわせることができるので、ネットワーク監視用データの転送処理を分散化することができる（請求項２，６）。
【００２４】
さらに、監視用データ管理部４０において、監視用データ比較部４１は、自己が管理するネットワーク監視用データとネットワーク監視用端末装置１で管理されているネットワーク監視用データとの新旧を比較するものであり、監視用データ更新制御部４２は、この監視用データ比較部４１で、ネットワーク監視用データの新旧が一致しないと判定された場合に、更新用のネットワーク監視用データを用いて、ネットワーク監視用端末装置１で管理されているネットワーク監視用データを、自己が管理する最新のネットワーク監視用データに更新させるものである。
【００２５】
これにより、このネットワーク監視用データ作成端末装置２では、自己が管理するネットワーク監視用データとネットワーク監視用端末装置１で管理されているネットワーク監視用データとの新旧が一致していない場合に、更新用のネットワーク監視用データのみを用いて、そのネットワーク監視用端末装置１で管理されているネットワーク監視用データを最新のものに更新させることができる（請求項３，６）。
【００２６】
一方、上述のネットワーク監視用端末装置１は、この図１に示すように、監視用データ受信部１１，監視用データ転送制御部１２及びネットワーク監視用データを管理する監視用データ管理部１３をそなえて構成され、さらに監視用データ管理部１３が、更新用データ受信部１４及び監視用データ更新制御部１５をそなえて構成されている。なお、１Ａはネットワーク監視用端末装置１で使用するネットワーク監視用データを保持しておくデータベースである。
【００２７】
ここで、監視用データ受信部１１は、外部より転送されてくるネットワーク監視用データとその転送先情報とを受信するものであり、監視用データ転送制御部１２は、この監視用データ受信部１１で受信された転送先情報に基づいて、ネットワーク監視用データに次の転送先情報を付加して他のネットワーク監視用端末装置１に転送するものである。
【００２８】
これにより、このネットワーク監視用端末装置１では、受信されたネットワーク監視用データの転送先情報に基づいて、ネットワーク監視用データを次の転送先情報とともに他のネットワーク監視用端末装置１に転送することができるので、ネットワーク監視用データの転送処理を複数のネットワーク監視用端末装置１に分散させることができる（請求項４，６）。
【００２９】
また、監視用データ管理部１３において、更新用データ受信部１４は、ネットワーク監視用データ作成端末装置２からの更新用のネットワーク監視用データを受信するものであり、監視用データ更新制御部１５は、この更新用データ受信部１４で受信された更新用のネットワーク監視用データに基づいて、自己が管理するネットワーク監視用データを更新するものである。
【００３０】
これにより、このネットワーク監視用端末装置１では、自己が管理するネットワーク監視用データとネットワーク監視用データ作成端末装置２で作成・管理されているネットワーク監視用データとの新旧が一致しない場合に、ネットワーク監視用データ作成端末装置２からの更新用のネットワーク監視用データのみに基づいて、自己が管理するネットワーク監視用データを更新することができる（請求項５，６）。
【００３１】
【発明の実施の形態】
以下、図面を参照して本発明の実施の形態を説明する。
（ａ）第１実施形態の説明
図２は本発明の第１実施形態としてのネットワーク監視システムの構成を示すブロック図で、この図２において、図５１に示す符号と同一の符号を付したものはそれぞれ図５１により前述したものと同様のものであるが、本実施形態では、例えば、監視端末装置１がそれぞれ支店１００−１〜１００−（Ｎ−１）に設けられ、作画端末装置２が支店１００−Ｎに設けられている。
【００３２】
ここで、各監視端末装置（ネットワーク監視用端末装置）１は、各支店１００−１〜１００−（Ｎ−１）毎に、ネットワークの運用状況などを保守者へ通知するためのもので、それぞれ、画面情報などのネットワーク監視用データを内部のデータベースにて管理しており、故障監視装置４００で検出される障害などの事象の発生に対する画面情報をそのデータベースから検索して画面上に表示することにより、その事象発生を保守者に通知できるようになっている。
【００３３】
ところで、上述の各監視端末装置１で用いられるネットワーク監視用データを保持するデータベースは、作画端末装置（ネットワーク監視用データ作成端末装置）２で作成され、それぞれが、ネットワーク（ここでは、ＬＡＮ）経由で各監視端末装置１へファイル単位で転送されるようになっている。
図３は上述の作画端末装置２の構成を示すブロック図で、この図３に示すように、作画端末装置２は、データ入力部３より入力されるデータに基づいて各監視端末装置１で用いられるネットワーク監視用データを生成してデータベース２Ａを作成するデータベース生成制御部（監視用データ生成部）２３をそなえ、さらに、このデータベース生成制御部２３が、判定処理部２４，変換処理部２５，退避／復元処理部２６及びデータ退避領域（データ退避部）２７をそなえて構成されている。なお、データベース２Ａは、通常、ハードディスクなどのディスク上にて管理される。
【００３４】
ここで、判定処理部２４は、入力されたデータ（情報要素）がその時点で解析可能か、具体的には、入力されたデータがその時点で生成すべき（データベース２Ａに格納すべき）ネットワーク監視用データのフォーマットに適合し、それまでに入力されたデータより所望のネットワーク監視用データを生成できるかどうかを内部のデータベース生成用フォーマットテーブル（例えば、図４にて後述するデータベース２Ａのフォーマットに対応したテーブル）に基づいて判定するものであり、変換処理部２５は、この判定処理部２４でデータの解析が可能であると判定された場合に、それまでの全入力データを、生成すべきデータベース２Ａに適合したフォーマットに変換して、データベース２Ａに保持させるものである。
【００３５】
なお、データベース２Ａには、例えば、図４に示すように、ネットワークの監視点番号（監視ポイント）毎に、監視点形状，監視点形状，監視点正常色，監視点異常色，監視点表示位置，異常発生時アラーム音，異常復旧時アラーム音などからなるフォーマットを有するデータが格納されるようになっており、従来は、前述のように、この図４に示すフォーマットの順（監視点番号→監視点形状→・・・→異常復旧時アラーム音）に従ってデータがそれぞれ入力されなければ、正常にデータベース２Ａを作成できない。
【００３６】
また、退避／復元処理部２６は、上述の判定処理部２４で入力データがその時点で解析不能と判定された場合に、その入力データを解析可能となるまでデータ退避領域２７に一時的に退避させる一方、解析可能となった時点で、このように退避させていた入力データを復元するものである。
以下、上述のごとく構成された作画端末装置１での動作について、図５を用いて詳述する。
【００３７】
まず、例えば、任意の入力方法により、監視端末装置１のための監視ポイントにおける監視点表示位置データと監視点状態表示色データとが入力されたとする（ステップＳ１）。すると、データベース生成制御部２３では、判定処理部２４により、入力された各データが、その時点で解析可能であるかどうかを、内部のデータベース生成用フォーマットテーブルに基づいて判定する（ステップＳ２）。
【００３８】
この結果、判定処理部２４では、例えば、現時点では、監視点形状データが未入力で、まだ全てのデータが揃っていないと判断し、入力データ（監視点表示位置データ，監視点状態表示色データ）の一時退避を退避／復元処理部２６に依頼する（ステップＳ３）。この依頼を受けた退避／復元処理部２６では、該当する入力データを判定処理部２４から受け取って、データ退避領域２７に格納することによりそのデータを退避させる（ステップＳ４）。
【００３９】
その後、データの入力が進み、例えば未入力であった上述の監視点形状データが入力されると（ステップＳ５）、このデータベース生成制御部２３では、判定処理部２４により、生成すべきネットワーク監視用データのための情報要素が揃ったと判定し（ステップＳ６）、退避／復元処理部２６に退避中のデータの復元処理を依頼する（ステップＳ７）。
【００４０】
この依頼を受けた、退避／復元処理部２６は、データ退避領域２７から該当するデータ（監視点表示位置データ，監視点状態表示色データ）を抜き出して復元したのち（ステップＳ８）、各データを判定処理部２４へ送出する（ステップＳ９）。そして、判定処理部２４は、この退避／復元処理部２６からの復元データを監視点形状データとともに入力データとして変換処理部２５へ通知し（ステップＳ１０）、変換処理部２５では、通知された入力データ（監視点表示位置データ，監視点形状データ，監視点状態表示色データ）を解析し、データベース２Ａのフォーマットに従った変換を行なって（ステップＳ１１）、データベース２Ａを生成する（ステップＳ１２）。
【００４１】
つまり、本実施形態における作画端末装置２では、ネットワーク監視用データ（データベース２Ａ）を生成する際、任意の順序でデータベース２Ａ生成用のデータが入力されても、そのデータをデータ退避領域２７に一時的に退避して予め指定されている順序に組み替えて、生成すべきデータベース２Ａのフォーマットに適合したデータを生成することができるのである。
【００４２】
従って、データの入力順を意識せずに、所望のデータベース２Ａを生成することができ、データベース２Ａを生成するためのデータの入力作業に対する負担を大幅に軽減することができる。
（ａ１）第１実施形態の第１変形例の説明
図６は本実施形態の第１変形例としての作画端末装置２の構成を示すブロック図であるが、この図６に示す作画端末装置２は、図３に示す装置の構成に加えて、入力過程表示部２８をそなえて構成されている。なお、３′は作画端末装置のディスプレイであり、他の各構成要素はそれぞれ図３にて前述したものと同様のものである。
【００４３】
ここで、入力過程表示部２８は、判定処理部２４によりその時点で解析可能であると判定された入力データについての通知を受けて、内部のデータベース生成用フォーマットテーブル（図示略）に基づき、データ入力部３よりどのデータが入力されたかをチェックして、その一覧などをディスプレイ３′に表示することにより、データの入力者に対してデータの入力過程を通知するものである。
【００４４】
以下、上述のごとく構成された本変形例における作画端末装置２の動作、特に入力過程表示部２８に着目した動作について、図７を用いて説明する。
まず、データ入力部３よりデータが入力されると（ステップＳ１３）、データベース生成制御部２３では、判定処理部２４により、そのデータが生成すべきデータベース２Ａのフォーマット（図４参照）のどの部分のデータであるかを判定して（ステップＳ１４）、そのデータが入力済みである旨を入力過程表示部２８を通知する（ステップＳ１５）。
【００４５】
すると、入力過程表示部２８では、例えば、図８中に網かけ部で示すように、判定処理部２４から通知されたデータに該当する部分を反転表示するなどして、ディスプレイ３′上に表示することにより、入力すべきデータのうちどのデータが入力済みであるかをデータ入力者に通知する（ステップＳ１６）。
なお、入力データをデータ退避領域２７に一時的に退避させるなどの処理は、それぞれ図３〜図５により前述した処理と同様にして行なわれる。
【００４６】
このように、本変形例における作画端末装置２によれば、図３〜図５により前述した装置と同様に、データの入力順を意識せずに所望のデータベース２Ａを生成することができるとともに、任意にデータを入力しても、入力過程表示部２８により入力したデータの状況（入力過程）をリアルタイムにディスプレイ３′上で確認できるので、データの入力漏れを確実に防止して、さらに、データ入力作業の負担を大幅に軽減することができる。
【００４７】
（ａ２）第１実施形態の第２変形例の説明
図９は本実施形態の第２変形例としての作画端末装置２の構成を示すブロック図であるが、この図９に示す作画端末装置２は、図３又は図６に示す装置の構成に加えて、共通部分データベース（ＤＢ）抽出処理部２９Ａ，転送先情報判定処理部２９Ｂをそなえて構成されている。なお、２Ａ−１〜２Ａ−３はそれぞれデータベース（ＤＢ）で、データベース（共通ＤＢ）２Ａ−２には、生成されたネットワーク監視用データのうち、各監視端末装置１に共通のデータ部分が格納され、データベース（転送先ＤＢ）２Ａ−２には、この共通のデータベース２Ａ−２についての転送先情報が格納され、データベース（個別ＤＢ）２Ａ−３には、上記以外の個別のデータ部分が格納されるようになっている。
【００４８】
ここで、上述の共通部分データベース抽出処理部２９Ａは、既に生成されている個別データベース２Ａ−１と、データ入力部３より入力されたデータとを比較して、入力されたデータと同一のデータが存在するかどうかを判定し、同一のデータが存在すれば、その入力データを共通部分データとして抽出して転送先情報設定処理部２９Ｂへ通知する一方、同一のデータが存在しなければ、その入力データを個別データとして、個別データベース２Ａ−１へ格納するものである。
【００４９】
また、転送先情報設定処理部２９Ｂは、この共通部分データベース抽出処理部２９Ａから通知される共通部分データを共通データベース２Ａ−２のどの位置に格納するかというデータベース相対位置情報と、この共通部分データをどの監視端末装置１へ転送するのかという転送先情報（転送先端末名など）とを設定して、共通部分データを共通データベース２Ａ−２に格納し、上述のデータベース相対位置情報，転送先情報などを転送先データベースに格納するものである。
【００５０】
以下、上述のごとく構成された、本変形例における作画端末装置２の動作について、図１０を用いて説明する。
まず、任意の入力方法により、データ入力部３よりデータベース２Ａ−１を生成するためのデータ（例えば、監視点表示位置データ，監視点形状データ，監視点状態表示色データ）が入力されると、データベース生成制御部２３により、図３又は図６に示す装置と同様の処理により、データベース２Ａ−１に格納すべき監視用データが生成され、これが共通部分データベース抽出処理部２９Ａへ入力される（ステップＳ１７）。
【００５１】
すると、共通部分データベース抽出処理部２９Ｂでは、既に生成されているデータベース２Ａ−１内の監視用データと、入力されたデータとの比較を行ない、同一のデータ（監視点表示位置データ，監視点形状データ，監視点状態表示色データ）がデータベース２Ａ−１に存在するかどうかを判定する（ステップＳ１８）。
【００５２】
この結果、同一のデータが存在しなければ、データベース抽出処理部２９Ａは、そのデータをそのまま個別データとしてデータベース２Ａ−１に格納するが、同一のデータ存在すれば、そのデータを共通部分データとして抽出し（ステップＳ１９）、転送先情報設定処理部２９Ｂへ通知する（ステップＳ２０）。
そして、転送先情報設定処理部２９Ｂでは、通知された共通部分データが全データのどこに位置するかというデータベース相対位置情報と、その共通部分データの転送先情報とを設定し、共通部分データをデータベース２Ａ−２に保存し、データベース相対位置情報，転送先情報をそれぞれデータベース２Ａ−３に保存する（ステップＳ２１）。
【００５３】
このように、本変形例における作画端末装置２によれば、データベース生成制御部２３により生成されデータベース２Ａ−１に保持すべきデータのうち、共通部分を抽出して、共通部分データベース２Ａ−２に保持させるので、データベース２Ａ−１〜２Ａ−３を管理するディスクなどの記録媒体の容量を大幅に削減することができる。
【００５４】
（ｂ）第２実施形態の説明
図１１は本発明の第２実施形態としてのネットワーク監視システムの構成を示すブロック図で、この図１１においても、１はネットワークの運用状況などを監視して保守者へ通知する複数の監視端末装置、２は各監視端末装置のための画面表示用のデータなどのネットワーク監視用データ（データベース）を作成する作画端末装置で、本実施形態でもそれぞれ図２に示すようなネットワーク監視システムに適用される。なお、この図１１中に示す各監視端末装置１における“aaa.aaa.aaa" 〜“ddd.ddd.ddd" は、それぞれネットワーク構成上のノード番号（アドレス情報）である。また、８００は図２，図５１に示すものと同様のルータである。
【００５５】
そして、この図１１に示すように、本実施形態では、作画端末装置２が、データベース（ＤＢ）作成部２−１，転送先制御部２−２，転送データベース管理部２−３，ネットワーク（ＮＷ）構成管理部２−４及びデータベース送信部２−５をそなえて構成され、各監視端末装置１が、データベース受信部１−１，転送先制御部１−２及びデータベース送信部１−３をそなえて構成されている。
【００５６】
ここで、まず作画端末装置２において、データベース作成部２−１は、各監視端末装置１へ転送すべき画面表示データなどの各種の監視用データを生成してデータベースを作成するものであり、転送先制御部２−１は、このデータベース作成部２−１により作成された監視用データ（データベース）の転送先となる特定の監視端末装置１を、そのデータベースと同一内容のデータベースを保持している監視端末装置１，ネットワークの全体構成などに基づいて決定するとともに、そのデータベースの転送先情報（決定した監視端末装置１のアドレス情報など）を作成して転送するデータベースに付加するものである。
【００５７】
また、転送データベース管理部２−３は、この作画端末装置２で作成されるデータベースと同一内容のデータベースを保持している監視端末装置１に関する情報（監視端末名，アドレス情報など）を管理するもので、例えば、図１２に示すように、ネットワーク内の各監視端末装置１のアドレス（ノード番号）とそれぞれが保持しているデータベースの種類とを対応付けた転送データベーステーブル２３１を有することにより、どの監視端末装置１がどのデータベースを保持しているかを管理している。
【００５８】
なお、この図１２では、ネットワーク内のアドレス（ノード番号）がそれぞれ“aaa.aaa.aaa" ,“bbb.bbb.bbb",“ccc.ccc.ccc"である３つの監視端末装置１がそれぞれ同一内容のデータベース(DB-A)を保持し、ノード番号が“ddd.ddd.ddd" である監視端末装置１がデータベース(DB-A)とは異なる内容のデータベース(DB-B)を保持していることを表している。
【００５９】
また、ネットワーク構成管理部２−４は、ネットワークの全体構成に基づいて、監視端末装置１間でのデータベースの転送優先度などを管理するもので、例えば、図１３に示すように、ネットワーク内の各監視端末装置１の接続関係を考慮して、各監視端末装置１を、データベースの転送の際にルータ８００を経由する監視端末装置１（ノード番号：“aaa.aaa.aaa" ,“bbb.bbb.bbb"）のグループ４（Group-A)、それぞれ保持しているデータベースの内容が異なる監視端末装置１（ノード番号：“ccc.ccc.ccc",“ddd.ddd.ddd" ）のグループ５（Group-B)，グループ６(Group-C) に分割して、図１４に示すように、各グループ４〜６毎に転送すべきデータベースを対応付けた転送グループテーブル２３２を有している。
【００６０】
さらに、データベース送信部２−５は、上述の転送データベース管理部２−３の転送データベーステーブル２３１とネットワーク構成管理部２−４の転送グループテーブル２３２とに基づいて転送先制御部２−２により決定される監視端末装置１へ、実際に、転送先制御部２−２により転送先情報を付加したデータベースを送信するものである。
【００６１】
一方、各監視端末装置１において、データベース受信部１−１は、上述の作画端末装置１のデータベース送信部２−５から送信されてくるデータベースとその転送先情報とを受信するものであり、転送先制御部１−２は、このデータベース受信部１−１で受信された転送先情報に基づいて、データベースの次の転送先となる監視端末装置１を決定するとともに、決定した監視端末装置１へ送信するデータベースに付加する転送先情報を作成するものであり、データベース送信部１−３は、転送先制御部１−２により決定されたデータベースの次の転送先である監視端末装置１へ実際にデータベースをその転送先情報を付加して送信するものである。
【００６２】
以下、上述のごとく構成された本実施形態におけるネットワーク監視システムでの動作について、図１５及び図１６に示すフローチャート（ステップＡ１〜Ａ９）を用いて説明する。
まず、図１５に示すように、作画端末装置２では、データベース作成部２−１により、各監視端末装置１毎のデータベースを作成し（ステップＡ１）、転送データベース管理部２−３により、図１２にて前述したような転送データベーステーブル２３１を作成して、作成したデータベースとそのデータベースの転送先ノードとの関連を設定するとともに（ステップＡ２）、ネットワーク構成管理部２−４により、図１４にて前述したような転送グループテーブル２３２を作成して、ネットワークの全体構成と転送するデータベースとの関連を設定する（ステップＡ３）。
【００６３】
そして、作画端末装置２は、上述の転送データベーステーブル２３１に基づいてネットワーク内で同一内容のデータベースを保持する監視端末装置１を抽出する。例えば、この場合は、図１２に示すように、ノード番号がそれぞれ“aaa.aaa.aaa" ,“bbb.bbb.bbb"，“ccc.ccc.ccc" の各監視端末装置１がデータベース(DB-A)を保持している監視端末装置１として抽出され、ノード番号が“ddd.ddd.ddd" の監視端末装置１が異なる内容のデータベース(DB-B)を保持している監視端末装置１として抽出される。
【００６４】
さらに、作画端末装置２は、ネットワーク構成管理部２−４により、上述のように抽出した監視端末装置１のうち同一内容のデータベース(DB-A 又はDB-B) を保持している監視端末装置１のうち、実際にデータベース(DB-A 又はDB-B) を転送する際にネットワーク構成上の接続ポイント（ルータ８００，リピータ，ブリッジなど）の経由が最小となる転送ルートを抽出する。
【００６５】
例えば、この場合は、図１３に示すように、グループ４，５への転送ルートとグループ６への転送ルートがそれぞれデータベース(DB-A,DB-B) の転送の際の最短ルートとなるので、これら３つのルートが転送ルートとして抽出される。
そして、作画端末装置２は、転送先制御部２−２により、上述のように転送データベース管理部２−３，ネットワーク構成管理部２−４にて抽出された監視端末装置１，転送ルートに基づいて、データベース(DB-A,DB-B) の転送先の監視端末装置１を決定し、図１７（ａ）〜図１７（ｃ）に示すように、決定した監視端末装置１を含むグループ４〜６へそれぞれ転送するデータベース(DB-A,DB-B) の転送先情報（転送ノード番号）を作成して転送すべきデータベース(DB-A,DB-B) に付加して転送データを編集する（ステップＡ４）。
【００６６】
ただし、このとき、作画端末装置２は、図１７（ａ）に示すように、ノード番号“bbb.bbb.bbb" をもつ監視端末装置１へのデータベース(DB-A)の転送処理を、同じグループ４(Group-A) を構成するノード番号“aaa.aaa.aaa" をもつ監視端末装置１に行なわせるべく、２つの転送先情報（“aaa.aaa.aaa" ，“bbb.bbb.bbb" ）を転送すべきデータベース(DB-A)に付加して転送データを編集する。
【００６７】
そして、作画端末装置２は、図１６に示すように、各転送データ（データベース(DB-A,DB-B) とその転送先情報）をデータベース送信部２−５から転送先の各監視端末装置１へ送信し（ステップＡ５）、例えば、図１７（ａ）に示す転送データをノード番号“aaa.aaa.aaa" をもつ監視端末装置１がデータベース受信部１−１にて受信すると（ステップＡ６）、その監視端末装置１では、受信したデータベース(DB-A)を取り込んで自己のデータベース(DB-A)を生成する（ステップＡ７）。
【００６８】
さらに、この監視端末装置１は、転送先制御部１−２により、受信した転送データ〔図１７（ａ）参照〕を基に、データベース(DB-A)をノード番号“bbb.bbb.bbb" をもつ監視端末装置１にも転送するよう指定されていることを認識し、図１７（ａ）に示す転送データから自ノードの転送先情報“aaa.aaa.aaa" を除いた転送データを編集し（ステップＡ８）、この転送データをデータベース送信部１−３により、次の転送先（ノード番号“bbb.bbb.bbb" をもつ監視端末装置１）へ送信する（ステップＡ９）。
【００６９】
なお、図１７（ｂ），図１７（ｃ）に示す転送データを受信したノード番号“ccc.ccc.ccc" ，“ddd.ddd.ddd" をもつ各監視端末装置１では、転送先情報にそれぞれ自ノードの転送先情報のみしか指定されていないので、データベース(DB-A,DB-B) の次の転送先がないと認識し、受信したデータベース(DB-A,DB-B) をそれぞれ取り込んで処理を終了する。
【００７０】
以上のように、本実施形態におけるネットワーク監視システムによれば、データベース(DB-A)を各監視端末装置１に転送する際、データベース(DB-A)とともにその転送先情報（“aaa.aaa.aaa" ，“bbb.bbb.bbb" ）を特定の監視端末装置１（ノード番号“aaa.aaa.aaa" ）のみに転送することにより、その監視端末装置１に、次の転送先である監視端末装置１（ノード番号“bbb.bbb.bbb" ）へのデータベース(DB-A)の転送処理を行なわせることができるので、データベース(DB-A)の転送処理を分散化することができる。
【００７１】
従って、作画端末装置２のデータベース(DB-A)の転送処理時の負荷を大幅に削減して転送処理の高速化を図ることができるとともに、ネットワーク全体での転送処理の効率も大幅に向上させることができる。
また、上述のような転送処理の際には、転送データベース管理部２−３，ネットワーク構成管理部２−４により、ネットワーク構成（ルータ８００の位置，接続ポイントの数など）を考慮して、転送処理を行なわせる監視端末装置１（ノード番号“aaa.aaa.aaa" ）を決定するので、さらに、ネットワーク全体のデータベース(DB-A)の転送処理を高速化できる。
【００７２】
（ｂ１）第２実施形態の第１変形例の説明
図１８は上述の第２実施形態の第１変形例としてのネットワーク監視システムの構成を示すブロック図であるが、この図１８に示すシステムは、複数の監視端末装置１と１つの作画端末装置２とが１系，２系の２重化された回線で接続されるとともに、作画端末装置２が、図１１に示す作画端末装置２の構成に加えて、斜線部に示すように、転送系管理部２−６をそなえて構成されている。
【００７３】
ここで、この転送系管理部２−６は、ネットワークの回線使用状況を管理して、１系，２系のうちネットワークに対する監視業務を運用していない系（監視情報の遣り取りを行なっていない系）をデータベースの転送系として選択するもので、例えば、図１９に示すような１系，２系のどちらの系が監視業務の運用中であるかを管理する監視運用系情報テーブル２３３を有している。なお、各監視端末装置１，作画端末装置２における他の各構成要素はそれぞれ図１１を用いて前述したものとそれぞれ同様のものである。
【００７４】
以下、上述のごとく構成された本変形例におけるネットワーク監視システムの動作について、図２０及び図２１に示すフローチャート（ステップＢ１〜Ｂ１０）を用いて説明する。
まず、この場合も、図２０に示すように、作画端末装置２では、データベース作成部２−１により、各監視端末装置１毎のデータベースを作成し（ステップＢ１）、転送データベース管理部２−３により転送データベーステーブル２３１（図１２参照）を作成して、作成したデータベースとそのデータベースの転送先ノード（ノード番号：“aaa.aaa.aaa" 〜“ddd.ddd.ddd" ）との関連を設定する（ステップＢ２）。
【００７５】
そして、本実施形態における作画端末装置２は、上述の監視運用系情報テーブル２３３に基づき、監視業務を運用している系（ここでは、１系）を判断し、他の系（２系）をデータベースの転送を行なう系として選択する（ステップＢ３）。さらに、作画端末装置２は、図１３，図１４にて前述したように、ネットワーク構成管理部２−４により、転送グループテーブル２３２を作成して、ネットワークの全体構成と転送するデータベースとの関連を設定する（ステップＢ４）。
【００７６】
その後は、図２１に示すように、図１５，図１６のステップＡ４〜Ａ９と同様に、図１７（ａ）〜図１７（ｃ）に示すような各転送データを編集し、それぞれを転送系管理部２−６で選択された２系を使用してデータベース送信部２−５から転送先の各監視端末装置１へ送信し、転送先情報にノード番号“aaa.aaa.aaa" ，“bbb.bbb.bbb" が指定された転送データ〔図１７（ａ）参照〕を受信した監視端末装置１（ノード番号“aaa.aaa.aaa" ）では、受信したデータベース(DB-A)を取り込んで自己のデータベース(DB-A)を生成する一方、次の転送先（ノード番号“bbb.bbb.bbb" をもつ監視端末装置１）へ送信する（ステップＢ５〜Ｂ１０）。
【００７７】
このように本変形例におけるネットワーク監視システムによれば、作画端末装置２から各監視端末装置１へのデータベース(DB-A,DB-B) の転送処理において、転送系管理部２−６により、監視業務を運用していない系を選択して監視業務運用中の系を使用せずに、データベース(DB-A,DB-B) の転送を行なうことができるので、図１１に示すシステムにより得られる効果に加えて、ネットワークの輻輳を効果的に防止して、通常の監視業務に支障なくデータベース(DB-A,DB-B) の転送を実行することができる。
【００７８】
（ｂ２）第２実施形態の第２変形例の説明
図２２は上述の第２実施形態の第２変形例としてのネットワーク監視システムの構成を示すブロック図であるが、この図２２に示すシステムは、各監視端末装置１，作画端末装置２が、第１変形例の図１８に示す各監視端末装置１，作画端末装置２の構成に加えて、それぞれ斜線部で示すように、応答時間確認部１−４，２−７をそなえて構成されている。
【００７９】
ここで、各監視端末装置１における応答時間確認部１−４，作画端末装置２におけ応答時間確認部２−７は、それぞれ、データベースの転送先となる各監視端末装置１に送達確認信号を送信して、これに対する応答時間の最も短い監視端末装置１を検出するものである。
なお、本実施形態では、ノード番号“eee.eee.eee" の監視端末装置１が加わっており、これに伴い、転送データベース管理部２−３では、図２３に示すように、図１２に示す転送データベーステーブル２３１と同様の転送データベーステーブル３２１′を設定・保持し、ネットワーク構成管理部２−４では、図２４に示すように、ネットワーク構成を考慮してグループ４(Group-A) にノード番号“eee.eee.eee" の監視端末装置１を加え、図２５に示すような転送グループテーブル２３２′を設定・保持するものとする。ただし、転送系管理部２−６では、この場合も、図２６に示すような監視運用系情報テーブル２３３を保持している。
【００８０】
以下、上述のごとく構成された本第２変形例におけるネットワーク監視システムの動作について、図２７及び図２８に示すフローチャート（ステップＣ１〜Ｃ１２）を用いて説明する。
まず、図２７に示すように、この場合も作画端末装置２では、データベース作成部２−１により、各監視端末装置１毎のデータベースを作成し（ステップＣ１）、転送データベース管理部２−３により、転送データベーステーブル２３１′（図２３参照）を作成して、作成したデータベースとそのデータベースの転送先ノードとの関連を設定する（ステップＣ２）。
【００８１】
そして、作画端末装置２は、転送系管理部２−６により、上述の監視運用系情報テーブル２３３に基づいて、監視業務を運用している系（ここでは、１系）を判断し、他の系（２系）をデータベースの転送を行なう系として選択するとともに（ステップＣ３）、図２４，図２５にて前述したように、ネットワーク構成管理部２−４により、転送グループテーブル２３２′を作成して、ネットワークの全体構成と転送するデータベースとの関連を設定する（ステップＣ４）。
【００８２】
さらに、作画端末装置２は、上述の転送データベーステーブル２３１′に基づいてネットワーク内で同一内容のデータベースを保持する監視端末装置１を抽出する。例えば、本変形例では、図２３に示すように、ノード番号がそれぞれ“aaa.aaa.aaa" 〜“ccc.ccc.ccc" の各端末装置１に加えて、ノード番号“eee.eee.eee" の監視端末装置１がデータベース(DB-A)を保持している監視端末装置１として抽出され、ノード番号が“ddd.ddd.ddd" の監視端末装置１が異なる内容のデータベース(DB-B)を保持している監視端末装置１として抽出される。
【００８３】
また、このとき、作画端末装置２は、ネットワーク構成管理部２−４により、上述のように抽出した監視端末装置１のうち同一内容のデータベース(DB-A,DB-B) を保持している監視端末装置１のうち、実際にデータベース(DB-A)，データベース(DB-B)を転送する際にネットワーク構成上の接続ポイント（ルータ８００，リピータ，ブリッジなど）の経由が最小となる転送ルートを抽出する。
【００８４】
例えば、この場合も、図２４に示すように、グループ４，５への転送ルートとグループ６への転送ルートがそれぞれデータベース(DB-A,DB-B) の転送の際の最短ルートとなるので、これら３つのルートが転送ルートとして抽出される。
その後、図２８に示すように、作画端末装置２は、応答時間確認部２−７により、例えば、データベース(DB-A)を転送すべきグループ４（図２４参照）を構成する各監視端末装置１（ノード番号：“aaa.aaa.aaa" ，“bbb.bbb.bbb" ，“eee.eee.eee" ）に、それぞれ、データベース(DB-A)の送達確認信号を送信し、この送達確認信号に対する応答時間が最も短いもの（この場合は、応答時間が「０．１秒」のノード番号“eee.eee.eee" をもつ監視端末装置１）を検出して、その監視端末装置１をグループ４に転送するデータベース(DB-A)の最初の転送先として転送先制御部２−２により選択・決定する（ステップＣ５）。
【００８５】
さらに、作画端末装置２は、転送先制御部２−２により決定した監視端末装置１を含むグループ４〜６へそれぞれ転送するデータベース(DB-A,DB-B) の転送先情報（転送ノード番号）を作成して転送すべきデータベース(DB-A,DB-B) に付加することによって、それぞれ、図２９（ａ）〜図２９（ｃ）に示すような転送データを編集する（ステップＣ６）。
【００８６】
ただし、このとき、作画端末装置２は、図２９（ａ）に示すように、ノード番号“aaa.aaa.aaa" ，“bbb.bbb.bbb" をもつ各監視端末装置１へのデータベース(DB-A)の転送処理を、転送先制御部２−２により決定した監視端末装置１（ノード番号“eee.eee.eee" ）に行なわせるために、３つの転送先情報（“eee.eee.eee" ，“aaa.aaa.aaa" ，“bbb.bbb.bbb" ）をデータベース(DB-A)に付加して転送データを編集する。
【００８７】
そして、作画端末装置２は、各転送データ（データベース(DB-A,DB-B) とそれぞれの転送先情報）をデータベース送信部２−５から転送先の各監視端末装置１へ送信し（ステップＣ７）、例えば、図２９（ａ）に示す転送データがノード番号“eee.eee.eee" をもつ監視端末装置１で受信されると（ステップＣ８）、その監視端末装置１では、受信したデータベース(DB-A)を取り込んで自己のデータベース(DB-A)を生成する（ステップＣ９）。
【００８８】
さらに、この監視端末装置１（ノード番号“eee.eee.eee" ）は、転送先制御部１−２により、受信した転送データ〔図２９（ａ）参照〕を基に、データベース(DB-A)をノード番号“aaa.aaa.aaa" ，“bbb.bbb.bbb" をもつ各監視端末装置１にも転送するよう指定されていることを認識する。
すると、この監視端末装置１は、作画端末装置２と同様に、応答時間確認部１−４により、各監視端末装置１（ノード番号：“aaa.aaa.aaa" ，“bbb.bbb.bbb" ）に送達確認信号を送信し、この送達確認信号に対する応答時間が最も短いもの（この場合は、応答時間が「０．３秒」のノード番号“bbb.bbb.bbb" をもつ監視端末装置１）を検出して、その監視端末装置１を次の転送先として選択・決定する（ステップＣ１０）。
【００８９】
そして、監視端末装置１は、図２９（ａ）に示すような転送データから自ノードの転送先情報“eee.eee.eee" を除いた転送データを編集し（ステップＣ１１）、この転送データをデータベース送信部１−３より、上述のごとく決定された次の転送先（ノード番号“bbb.bbb.bbb" をもつ監視端末装置１）へ送信する（ステップＣ１２）。
なお、この転送データを受信した監視端末装置１では、同様に、さらに次の転送先（ノード番号“aaa.aaa.aaa" をもつ監視端末装置１）が指定されていることを認識して、その転送データから自ノードの転送先情報（“bbb.bbb.bbb" ）を除いた転送データを編集して、データベース(DB-A)を最後の転送先である監視端末装置１（ノード番号“aaa.aaa.aaa" ）に転送する。
【００９０】
また、図２９（ｂ），図２９（ｃ）に示す転送データを受信したノード番号“ccc.ccc.ccc" ，“ddd.ddd.ddd" をもつ各監視端末装置１では、この場合も、転送先情報にそれぞれ自ノードの転送先情報のみしか指定されていないので、データベース(DB-A,DB-B) の次の転送先がないと認識し、受信したデータベース(DB-A,DB-B) を取り込んで処理を終了する。
【００９１】
以上のように、本第２変形例におけるネットワーク監視システムによれば、作画端末装置２から同一内容のデータベース(DB-A)を保持する各監視端末装置１（ノード番号“aaa.aaa.aaa" ，“bbb.bbb.bbb" ，“eee.eee.eee" ）へデータベース(DB-A)を転送する際、まず、応答時間確認部２−７（又は１−４）により送達確認信号を各監視端末装置１に送信し、最も応答時間の短い監視端末装置１（ノード番号“eee.eee.eee" ）を検出して、その監視端末装置１のみにデータベース(DB-A)とともにその転送先情報“aaa.aaa.aaa" ，“bbb.bbb.bbb" ）を送信するので、さらに、ネットワーク全体におけるデータベース(DB-A,DB-B) の転送効率を大幅に向上させることができる。
【００９２】
（ｂ３）第２実施形態の第３変形例の説明
図３０は上述の第２実施形態の第３変形例としてのネットワーク監視システムの構成を示すブロック図であるが、この図３０に示すシステムは、上述の第２変形例における各監視端末装置１，作画端末装置２（図２２参照）の構成に加えて、各監視端末装置１が、斜線部で示すように、それぞれデータベース再生部１−５とデータベース分割部１−６とをそなえる一方、作画端末装置２が、データベース分割部２−８をそなえて構成されている。
【００９３】
ここで、作画端末装置２において、データベース分割部２−８は、各監視端末装置１のためのデータベースを複数のファイル単位に分割するものである。一方、各監視端末装置１において、データベース再生部１−５は、作画端末装置２のデータベース分割部２−８により分割されて送信されてくる複数のファイルを元のデータベースに再生するものであり、データベース分割部１−６は、受信・再生したデータベースをさらに次の監視端末装置１へ転送する場合に、そのデータベースを再度複数のファイル単位に分割するものである。
【００９４】
なお、作画端末装置２において、転送データベース管理部２−３，ネットワーク構成管理部２−４及び転送系管理部２−６は、本変形例においても、それぞれ、図２３に示す転送データベーステーブル２３１′，図２５に示す転送グループテーブル２３２′及び図２６に示す監視運用系情報テーブル２３３にて各種の情報を管理している。
【００９５】
以下、上述のごとく構成された本変形例におけるネットワーク監視システムの動作について、図３１〜図３３に示すフローチャート（ステップＤ１〜Ｄ１５）を用いて説明する。
まず、図３１に示すように、この場合も作画端末装置２では、データベース作成部２−１により、各監視端末装置１毎のデータベースを作成し（ステップＤ１）、転送データベース管理部２−３により、転送データベーステーブル２３１′（図２３参照）を作成して、作成したデータベースとそのデータベースの転送先ノードとの関連を設定する（ステップＤ２）。
【００９６】
そして、作画端末装置２は、転送系管理部２−６により、上述の監視運用系情報テーブル２３３に基づいて、監視業務を運用している系（ここでは、１系）を判断し、他の系（２系）をデータベースの転送を行なう系として選択し（ステップＤ３）、図２４，図２５にて前述したように、ネットワーク構成管理部２−４により、ネットワーク構成を考慮して転送グループテーブル２３２′を作成して、ネットワークの全体構成と転送するデータベースとの関連を設定する（ステップＤ４）。
【００９７】
さらに、作画端末装置２は、上述の転送データベーステーブル２３１′に基づいてネットワーク内で同一内容のデータベースを保持する監視端末装置１を抽出する。例えば、本変形例では、図２３に示すように、ノード番号がそれぞれ“aaa.aaa.aaa" 〜“ccc.ccc.ccc" の各端末装置１に加えて、ノード番号“eee.eee.eee" の監視端末装置１がデータベース(DB-A)を保持している監視端末装置１として抽出され、ノード番号が“ddd.ddd.ddd" の監視端末装置１がデータベース(DB-B)を保持している監視端末装置１として抽出される。
【００９８】
また、このとき、作画端末装置２は、ネットワーク構成管理部２−４により、上述のように抽出した監視端末装置１のうち同一内容のデータベース(DB-A)，データベース(DB-B)を保持している監視端末装置１のうち、実際にデータベース(DB-A)，データベース(DB-B)を転送する際にネットワーク構成上の接続ポイント（ルータ８００，リピータ，ブリッジなど）の経由が最小となる転送ルートを抽出する。
【００９９】
例えば、この場合も、図２４に示すように、グループ４，５への転送ルートとグループ６への転送ルートがそれぞれデータベース(DB-A)，データベース(DB-B)の転送の際の最短ルートとなるので、これら３つのルートが転送ルートとして抽出される。
その後、図３２に示すように、作画端末装置２は、応答時間確認部２−７により、例えば、データベース(DB-A)を転送すべきグループ４（図２４参照）を構成する各監視端末装置１（ノード番号：“aaa.aaa.aaa" ，“bbb.bbb.bbb" ，“eee.eee.eee" ）に、それぞれ、データベース(DB-A)の送達確認信号を送信し、この送達確認信号に対する応答時間が最も短いもの（この場合は、応答時間が「０．１秒」のノード番号“eee.eee.eee" をもつ監視端末装置１）を検出して、その監視端末装置１をグループ４に転送するデータベース(DB-A)の最初の転送先として転送先制御部２−２により選択・決定する（ステップＤ５）。
【０１００】
さらに、作画端末装置２は、転送先制御部２−２により決定した監視端末装置１を含むグループ４〜６へそれぞれ転送するデータベース(DB-A)，データベース(DB-B)の転送先情報（転送ノード番号）を作成して転送すべきデータベース(DB-A)，データベース(DB-B)に付加することによって、それぞれ、図３４（ａ）〜図３４（ｃ）に示すような転送データを編集する（ステップＤ６）。
【０１０１】
ただし、この場合も、作画端末装置２は、図３４（ａ）に示すように、ノード番号“aaa.aaa.aaa" ，“bbb.bbb.bbb" をもつ各監視端末装置１へのデータベース(DB-A)の転送処理を、転送先制御部２−２により決定した特定の監視端末装置１（ノード番号“eee.eee.eee" ）に行なわせるために、３つの転送先情報（“eee.eee.eee" ，“aaa.aaa.aaa" ，“bbb.bbb.bbb" ）を転送すべきデータベース(DB-A)に付加して転送データを編集する。
【０１０２】
そして、本変形例における作画端末装置２は、この後、データベース分割部２−８により、例えば図３５に示すように、各転送データを所定の分割数のファイルに分割するとともに、分割後の各転送データに所定の番号を割り当てることにより（ステップＤ７）、各転送データを分割してデータベース送信部２−５から転送先の各監視端末装置１へ送信する（ステップＤ８）。
【０１０３】
これにより、例えば、図３５に示すように分割された転送データがノード番号“eee.eee.eee" をもつ監視端末装置１で受信されると（ステップＤ９）、図３３に示すように、その監視端末装置１では、データベース再生部１−５により、上述のごとく分割された各転送データ〔データベース(DB-A)〕を図３６に示すように元のデータに再生したのち（ステップＤ１０）、自己のデータベース(DB-A)を生成する（ステップＤ１１）。
【０１０４】
さらに、この監視端末装置１（ノード番号“eee.eee.eee" ）は、転送先制御部１−２により、上述のごとく再生した転送データから、受信したデータベース(DB-A)をノード番号“aaa.aaa.aaa" ，“bbb.bbb.bbb" をもつ各監視端末装置１にも転送するよう指定されていることを認識する。
すると、この監視端末装置１は、作画端末装置２と同様に、応答時間確認部１−４により、これらの各監視端末装置１（ノード番号：“aaa.aaa.aaa" ，“bbb.bbb.bbb" ）に送達確認信号を送信し、この送達確認信号に対する応答時間が最も短いもの（この場合は、応答時間が「０．３秒」のノード番号“bbb.bbb.bbb" をもつ監視端末装置１）を検出して、その監視端末装置１を次の転送先として選択・決定する（ステップＤ１２）。
【０１０５】
そして、監視端末装置１は、図３４（ａ）に示すような転送データから自ノードの転送先情報“eee.eee.eee" を除いた転送データを編集し（ステップＤ１３）、この転送データをデータ分割部１−６により再度分割して（ステップＤ１４）、データベース送信部１−３より次の転送先（ノード番号“bbb.bbb.bbb" をもつ監視端末装置１）へ送信する（ステップＤ１５）。
【０１０６】
なお、このように分割された転送データを受信したノード番号“bbb.bbb.bbb" の監視端末装置１では、同様に、さらに次の転送先（ノード番号“aaa.aaa.aaa" をもつ監視端末装置１）が指定されていることを認識して、その転送データから自ノードの転送先情報（“bbb.bbb.bbb" ）を除いた転送データを編集し分割したのち、それぞれを最後の転送先である監視端末装置１（ノード番号“aaa.aaa.aaa" ）に転送する。
【０１０７】
また、図３４（ｂ），図３４（ｃ）に示す転送データを受信したノード番号“ccc.ccc.ccc" ，“ddd.ddd.ddd" をもつ各監視端末装置１では、この場合も、転送先情報にそれぞれ自ノードの転送先情報のみしか指定されていないので、データベース(DB-A)，データベース(DB-B)の次の転送先がないと認識し、受信したデータベース(DB-A)，データベース(DB-B)を取り込んで処理を終了する。
【０１０８】
以上のように、本変形例におけるネットワーク監視システムによれば、作画端末装置２（又は監視端末装置１）から同一内容のデータベース(DB-A,DB-B) を保持する複数の監視端末装置１へデータベース(DB-A,DB-B) を転送する際、転送すべきデータベース(DB-A,DB-B) を複数の小さいファイルに分割して転送するので、データベース(DB-A,DB-B) の転送処理を１系，２系へ負荷分散できる。
【０１０９】
従って、データベース(DB-A,DB-B) の転送中に何らかの要因でその転送経路の負荷が上がった場合でも、転送経路を任意に変更することができ、よりネットワーク全体でのデータベース(DB-A,DB-B) の転送効率を向上させることができる。
（ｂ４）第２実施形態の第４変形例の説明
図３７は上述の第２実施形態の第４変形例としてのネットワーク監視システムの構成を示すブロック図であるが、この図３７に示すシステムは、上述の第３変形例における各監視端末装置１，作画端末装置２（図３０参照）の構成に加えて、各監視端末装置１，作画端末装置２が、それぞれ斜線部で示すように、データベース（ＤＢ）情報管理部１−７，２−９をそなえて構成されている。
【０１１０】
ここで、これらのデータベース情報管理部１−７，２−９は、データベースの転送処理結果についての情報を管理するものである。なお、作画端末装置２において、転送データベース管理部２−３，ネットワーク構成管理部２−４は、本変形例においても、それぞれ、図３８に示すような転送データベーステーブル２３１′，図３９に示すようなネットワーク構成を考慮して作成・設定される図４０に示す転送グループテーブル２３２′にて各種の情報を管理している。
【０１１１】
以下、上述のごとく構成された本変形例におけるネットワーク監視システムの動作について、図４１及び図４２に示すフローチャート（ステップＥ１〜Ｅ１２）を用いて説明する。ただし、以下では、説明を簡単化するため、上述のデータベース情報管理部１−７，２−９に着目した動作について説明し、前述のような転送系（１系，２系）の選択処理，送達確認信号に対する応答時間の確認処理，データベースの分割処理については説明を省略する。
【０１１２】
まず、図４１に示すように、この場合も作画端末装置２では、データベース作成部２−１により、各監視端末装置１毎のデータベースを作成し（ステップＥ１）、転送データベース管理部２−３により、転送データベーステーブル２３１′（図３８参照）を作成して、作成したデータベースとそのデータベースの転送先ノードとの関連を設定する（ステップＥ２）。
【０１１３】
さらに、作画端末装置２は、ネットワーク構成管理部２−４により、図３９に示すようなネットワーク構成を考慮して、転送グループテーブル２３２′（図４０参照）を作成して、ネットワークの全体構成と転送するデータベースとの関連を設定する（ステップＥ３）。
そして、作画端末装置２は、転送先制御部２−２により決定した監視端末装置１を含むグループ４〜６へそれぞれ転送するデータベース(DB-A,DB-B) の転送先情報（転送ノード番号）を作成して転送すべきデータベース(DB-A)，データベース(DB-B)に付加することによって、それぞれ、図４３（ａ）〜図４３（ｃ）に示すような転送データを編集する（ステップＥ４）。
【０１１４】
ただし、この場合も、作画端末装置２は、図４３（ａ）に示すように、ノード番号“aaa.aaa.aaa" ，“bbb.bbb.bbb" をもつ各監視端末装置１へのデータベース(DB-A)の転送処理を、転送先制御部２−２により決定した特定の監視端末装置１（ノード番号“eee.eee.eee" ）に行なわせるために、３つの転送先情報（“eee.eee.eee" ，“aaa.aaa.aaa" ，“bbb.bbb.bbb" ）を転送すべきデータベース(DB-A)に付加して転送データを編集する。
【０１１５】
さらに、図４２に示すように、本変形例における作画端末装置２は、この後、データベース情報管理部２−９により、例えば、データベース(DB-A)の転送先を図４４に示すような転送管理テーブル（管理表）２３４に転送表示を設定したのち（ステップＥ５）、上述の各転送データをデータベース送信部２−１より各監視端末装置１（ノード番号：“aaa.aaa.aaa" ，“bbb.bbb.bbb" ，“eee.eee.eee" ）に送信する（ステップＥ６）。
【０１１６】
これにより、例えば、図４３（ａ）に示す転送データがノード番号“eee.eee.eee" をもつ監視端末装置１で受信されると（ステップＥ７）、その監視端末装置１では、受信した転送データから自己のデータベース(DB-A)を生成したのち（ステップＥ８）、正常にデータベース(DB-A)が転送された旨をデータベース受信確認信号にて作画端末装置２に通知し（ステップＥ９）、作画端末装置２は、このデータベース受信確認信号を受信すると、図４５に示すように、転送管理テーブル２３４に転送確認表示を設定する（ステップＥ１０）。
【０１１７】
さらに、このとき監視端末装置１は、受信した図４３（ａ）に示す転送データから、データベース(DB-A)をノード番号“aaa.aaa.aaa" ，“bbb.bbb.bbb" をもつ各監視端末装置１にも転送するよう指定されていることを認識する。
すると、この監視端末装置１は、図４３（ａ）に示す転送データから自ノードの転送先情報“eee.eee.eee" を除いた転送データを編集し（ステップＥ１１）、この転送データをデータベース送信部１−３より次の転送先（例えば、ノード番号“aaa.aaa.aaa" をもつ監視端末装置１）へ送信する（ステップＥ１２）。
【０１１８】
なお、図４３（ｂ），図４３（ｃ）に示す転送データを受信したノード番号“ccc.ccc.ccc" ，“ddd.ddd.ddd" をもつ各監視端末装置１では、この場合も、転送先情報にそれぞれ自ノードの転送先情報のみしか指定されていないので、データベース(DB-A,DB-B) の次の転送先がないと認識し、受信したデータベース(DB-A,DB-B) を取り込んで処理を終了する。
【０１１９】
以上のように、本変形例におけるネットワーク監視システムによれば、作画端末装置２（又は監視端末装置１）から同一内容のデータベース(DB-A,DB-B) を保持する監視端末装置１へデータベース(DB-A,DB-B) を送信する際、データベース(DB-A,DB-B) を正常に受信した旨のデータベース受信確認信号を各監視端末装置１から作画端末装置２へ通知するので、大量のデータベース(DB-A,DB-B) を複数の各監視端末装置１に転送する場合でも、その転送結果の確認をいちいち各監視端末装置１で確認せずに、作画端末装置２にてリアルタイムに、全ネットワークにおけるデータベース(DB-A,DB-B) の転送状況を把握することができる。
【０１２０】
（ｃ）第３実施形態の説明
図４６は本発明の第３実施形態としてのネットワーク監視システムの構成を示すブロック図であるが、この図４６においても、１はネットワークの運用状況などをシステムの保守者へ通知するための複数の監視端末装置で、それぞれ、画面情報などのネットワーク監視用データを内部のデータベース１Ａにて管理している。さらに、２はこれらの各監視端末装置１のためのデータベース２Ａを作成する作画端末装置であり、３′は作画端末装置２のディスプレイである。
【０１２１】
そして、この図４６に示すように、作画端末装置２は、データベース（ＤＢ）更新情報設定部２−１１，データベース更新情報領域２−１２，データベース版数受信部２−１３，データベース版数確認部２−１４，データベース差分送信部２−１５を有して構成され、各監視端末装置１は、データベース版数送信部１−１１及びデータベース差分受信部１−１２をそなえて構成されている。
【０１２２】
ここで、まず作画端末装置２において、データベース更新情報設定部２−１１は、データベース２Ａの更新情報をデータベース更新情報領域２−１２に設定するとともに、このデータベース更新情報更新領域２−１２からデータベース２Ａの版数情報を取得して、これをデータベース版数確認部２−１４に渡すものであり、データベース版数受信部２−１３は、監視端末装置１に対しデータベース２Ａの版数要求を送信する一方、この版数要求に対する応答（データベース１Ａ内のデータ）をファイル単位に受信するものである。
【０１２３】
なお、データベース更新情報領域２−１２には、例えば、図４７に示すように、作画端末装置２でのデータベース２Ａの作成時に更新されたデータ（更新データベース），追加されたデータ（追加データベース），その日時などの情報が格納されるようになっている。
また、データベース版数確認部（監視用データ比較部）２−１４は、データベース版数受信部２−１３で受信したデータに基づいて、作画端末装置２が保持するデータベース２Ａと、監視端末装置１が保持するデータベース２Ａとをそれぞれディスプレイ３′に表示して、作画端末装置２が管理するデータベース２Ａと監視端末装置１で管理されているデータベース１Ａとの新旧を比較するものである。
【０１２４】
さらに、データベース差分送信部２−１５は、このデータベース版数確認部２−１４でデータベース２Ａとデータベース１Ａとの版数が一致しない、つまり、それぞれの新旧が一致しないと判定された場合に、データベース２Ａの版数と、一致していない部分の差分データベース（更新用のネットワーク監視用データ）とをファイル単位で監視端末装置１側に送信して、その監視端末装置１で管理されているデータベース１Ａを作画端末装置２が管理する最新のデータベース２Ａに更新させるものである。
【０１２５】
一方、監視端末装置１において、データベース版数送信部１−１１は、作画端末装置２から自己が管理するデータベース１Ａに対する版数要求を受信すると、この要求に対する応答として作画端末装置２にデータベース１Ａの版数情報を送信する一方、データベース差分受信部１−１２で受信される差分データベースの正常／異常受信の結果などを作画端末装置２に通知するものであり、データベース差分受信部（更新用データ受信部）１−１２は、作画端末装置２においてデータベース版数確認部２−１４によりデータベース２Ａとデータベース１Ａとの版数が一致しないと判定された場合に、データベース差分送信部２−１５より送信されてくる版数情報と差分データベースとを受信して、これらに基づいて、自己が管理しているデータベース１Ａを最新のものに更新するものである。
【０１２６】
以下、上述のごとく構成された本実施形態におけるネットワーク監視システムの動作について説明する。
まず、作画端末装置２では、データベース２Ａが作成又は更新される毎にデータベース更新情報設定部２−１１により、データベース２Ａについての版数情報を更新し、データベース版数情報とデータベース２Ａを構成する多数のデータファイルの差分情報（データファイル名，追加，更新，削除などを表現したもの）をデータベース更新情報としてデータベース更新情報領域２−１２に設定（記憶）する。
【０１２７】
そして、作画端末装置２は、データベース版数受信部２−１３により、監視端末装置１にデータベース１Ａについての版数情報を要求し、この要求を受信した監視端末装置１では、データベース版数送信部１−１１により、この要求に対する応答としてデータベース１Ａの版数情報を要求元の作画端末装置２に送信する。
【０１２８】
さらに、このデータベース１Ａについての版数情報をデータベース版数受信部２−１３にて受信した作画端末装置２は、データベース版数確認部２−１４により、データベース版数受信部２−１３で受信した監視端末装置１内のデータベース１Ａの版数情報と、データベース更新情報領域２−１２に設定された自己（作画端末装置１）のデータベース２Ａの版数情報とを取得し、例えば、図４８に示すように、比較可能な形式に編集してディスプレイ３′に表示する。
【０１２９】
このとき、例えば、この図４８中に網かけ部で示すように、作画端末装置２内のデータベース（データベース番号２）２Ａの版数情報(DBdata2-4版）と、監視端末装置１内のデータベース（データベース番号２）１Ａの版数情報(DBdata2-3版）とが一致していないとともに、作画端末装置２においてデータベース番号４のデータベース２Ａ(DBdata4-1版）が新規に作成されていたとすると、作画端末装置２は、データベース２Ａとデータベース１Ａとの同期を取るか否かの確認を保守者に行ない、同期を取る場合は、データベース差分送信部２−１５により、データベース２Ａについての最新の版数情報(DBdata2-4版,DBdata4-1版）と、データベース更新情報領域２−１２内の差分情報を参照して差分データベース（データファイル）を作成して一致しない部分のデータのみを監視端末装置１に送信する。
【０１３０】
そして、監視端末装置１では、この最新の版数情報，差分データベースをデータベース差分受信部１−１２にて受信すると、これらの版数情報，差分データベースに基づいて、自己が管理するデータベース１Ａ(DBdata2-3版）をそれぞれ更新して作画端末装置２で管理されている最新のデータベース２Ａ(DBdata2-4版,DBdata4-1版）と同期を取ることにより、最新のものに更新する。
【０１３１】
このように、本実施形態におけるネットワーク監視システムによれば、作画端末装置２で管理されているデータベース２Ａと、監視端末装置１で管理されているデータベース１Ａとの版数情報（新旧）が一致していない場合に、監視端末装置１で管理されているデータベース１Ａを、作画端末装置２で管理されている最新のデータベース２Ａに一致させるように更新することができる。
【０１３２】
従って、作画端末装置２のデータベース２Ａと監視端末装置１のデータベース１Ａとを、各データベース１Ａ，２Ａの違いを意識して差分を抽出するなどの特別な作業を行なうことなく、効率良く一致させることができる。
また、このように監視端末装置１のデータベース１Ａを更新する際、作画端末装置２からは各データベース１Ａ，２Ａの差分のみを自動的に監視端末装置１に送信するので、各データベース１Ａ，２Ａの同期合わせの効率を大幅に向上させることができる。
【０１３３】
（ｄ）第４実施形態の説明
図４９は本発明の第４実施形態としてのネットワーク監視システムの構成を示すブロック図であるが、この図４９においても、１はネットワークの運用状況などをシステムの保守者へ通知するための複数の監視端末装置、２はこれらの各監視端末装置１のためのデータベース（ＤＢ）２Ａを作成する作画端末装置であり、３′は作画端末装置２のディスプレイである。
【０１３４】
そして、この図４９に示すように、作画端末装置２は、各監視端末装置１のためのデータベース２Ａを作成するデータベース作成部（監視用データ生成部）２−Ａ，データベース２Ａ内の監視用データを各監視端末装置１に転送するデータベース転送部（監視用データ転送部）２−Ｂ及びデータベース２Ａを管理するデータベース管理部（監視用データ管理部）２−Ｃをそなえて構成されている。
【０１３５】
さらに、データベース作成部２−Ａは、第１実施形態にて前述したものそれぞれ同様の判定処理部２４，変換処理部２５，退避／復元部２６，データ退避領域２７，入力過程表示部２８及び共通部分データベース抽出処理部２９Ａを有して構成され、データベース転送部２−Ｂは、第２実施形態にて前述したものとそれぞれ同様の転送先制御部２−２，転送データベース管理部２−３，ネットワーク構成管理部２−４，データベース送信部２−５，転送系管理部２−６，応答時間確認部２−７，データベース分割部２−８及びデータベース情報管理部２−９を有して構成され、データベース管理部２−Ｃは、第３実施形態にて前述したものとそれぞれ同様のデータベース更新情報設定部２−１１，データベース更新情報領域２−１２，データベース版数受信部２−１３，データベース版数確認部２−１４及びデータベース差分送信部２−１５を有して構成されている。
【０１３６】
次に、図５０は図４９に示す各監視端末装置１の構成を示すブロック図であるが、この図５０に示すように、各監視端末装置１は、自己が管理するデータベース１Ａを他の監視端末装置１に転送するデータベース転送部１−Ａと、データベース１Ａを管理するデータベース管理部１−Ｂとをそなえて構成され、さらに、データベース転送部１−Ａが、第２実施形態にて前述したものとそれぞれ同様のデータベース（ＤＢ）受信部１−１，転送先制御部１−２，データベース送信部１−３，応答時間確認部１−４，データベース再生部１−５，データベース分割部１−６，データベース情報管理部１−７を有して構成され、データベース管理部１−Ｂが、第３実施形態にて前述したものとそれぞれ同様のデータベース版数送信部１−１１及びデータベース差分受信部１−１２を有して構成されている。
【０１３７】
つまり、本実施形態におけるネットワーク監視システムは、作画端末装置２が、第１〜第３実施形態にて前述した機能を全て有するように構成されるとともに、各監視端末装置１が、それぞれ第２，第３実施形態にて前述した機能を全て有するように構成されているのである。
従って、本実施形態におけるネットワーク監視システムでも、第１〜第３実施形態にて前述したシステムと同様の作用・効果が得られるとともに、ネットワーク監視システム全体の性能向上に大いに寄与することとなる。
【０１３８】
なお、図５０中、１−１３は受信情報書込部で、データベース受信部１−１，データベース再生部１−５を通じて受信されたデータ（ネットワーク監視用データ）を自己のデータベース１Ａ，データベース情報管理部１−７に書き込むもの、１−１４は配信データ読込部で、各監視端末装置１に配信（転送）すべきデータをデータベース１Ａから読み込むもの、１−１５はネットワーク監視用アプリケーション部で、データベース１Ａを参照して所望のデータを自己（監視端末装置１）のディスプレイ上に表示するなどのアプリケーション処理を行なうものである。
【０１３９】
【発明の効果】
以上詳述したように、本発明のネットワーク監視用データ作成用端末装置及びネットワーク監視システムによれば、ネットワーク監視用データを生成する際、任意の順序でネットワーク監視用データのための情報要素が入力されても、入力情報要素変換部によって、その情報要素をデータ退避部に一時的に退避して所定の順序に組み替えることにより、所望のネットワーク監視用データを生成することができるので、ネットワーク監視用データを生成するための情報要素の入力作業に対する負担を大幅に軽減することができる（請求項１，６）。
【０１４０】
また、本発明のネットワーク監視用データ作成端末装置及びネットワーク監視システムによれば、ネットワーク監視用データを各ネットワーク監視用端末装置に転送する際、ネットワーク監視用データにその転送先情報を付加して特定のネットワーク監視用端末装置のみに転送することにより、その特定のネットワーク監視用端末装置にネットワーク監視用データの転送処理を行なわせることができるので、ネットワーク監視用データの転送処理を分散化することができる。従って、ネットワーク監視用データ作成端末装置の転送処理時の負荷を大幅に削減して転送処理の高速化を図ることができるとともに、ネットワーク全体での転送処理の効率も大幅に向上させることができる（請求項２，６）。
【０１４１】
さらに、本発明のネットワーク監視用データ作成端末装置及びネットワーク監視システムによれば、ネットワーク監視用データ作成端末装置が管理するネットワーク監視用データとネットワーク監視用端末装置で管理されているネットワーク監視用データとの新旧が一致していない場合に、更新用のデータのみに基づいて、そのネットワーク監視用端末装置で管理されているネットワーク監視用データを最新のものに更新させることができる。従って、ネットワーク監視用データ作成端末装置とネットワーク監視用端末装置との各ネットワーク監視用データを、特別な作業を行なうことなく、効率良く一致させることができる（請求項３，６）。
【０１４２】
また、本発明のネットワーク監視用端末装置及びネットワーク監視システムによれば、ネットワーク監視用端末装置で受信されたネットワーク監視用データの転送先情報に基づいて、ネットワーク監視用端末装置が、ネットワーク監視用データに次の転送先情報を付加してそのネットワーク監視用データを他のネットワーク監視用端末装置に転送するので、ネットワーク監視用データの転送処理を複数のネットワーク監視用端末装置に分散させることができる。従って、ネットワーク全体での転送処理の効率を大幅に向上させて高速化することができる（請求項４，６）。
【０１４３】
さらに、本発明のネットワーク監視用端末装置及びネットワーク監視システムによれば、ネットワーク監視用端末装置が管理するネットワーク監視用データとネットワーク監視用データ作成端末装置で作成・管理されているネットワーク監視用データとの新旧が一致しない場合に、ネットワーク監視用データ作成端末装置からの更新用のデータのみに基づいて、自己が管理するネットワーク監視用データを最新のものに更新するので、ネットワーク監視用データ作成端末装置とネットワーク監視用端末装置との各ネットワーク監視用データを、特別な作業を行なうことなく、効率良く一致させることができる（請求項５，６）。
【図面の簡単な説明】
【図１】本発明の原理ブロック図である。
【図２】本発明の第１実施形態としてのネットワーク監視システムの構成を示すブロック図である。
【図３】第１実施形態における作画端末装置の構成を示すブロック図である。
【図４】第１実施形態におけるデータベースのフォーマットの一例を示す図である。
【図５】第１実施形態における作画端末装置の動作を説明するための図である。
【図６】第１実施形態の第１変形例としての作画端末装置の構成を示すブロック図である。
【図７】第１実施形態の第１変形例としての作画端末装置の動作を説明するための図である。
【図８】第１実施形態の第１変形例としての作画端末装置の動作を説明するための図である。
【図９】第１実施形態の第２変形例としての作画端末装置の構成を示すブロック図である。
【図１０】第１実施形態の第２変形例としての作画端末装置の動作を説明するための図である。
【図１１】本発明の第２実施形態としてのネットワーク監視システムの構成を示すブロック図である。
【図１２】第２実施形態における作画端末装置が有する転送データベーステーブルの一例を示す図である。
【図１３】第２実施形態における作画端末装置が有するネットワーク構成情報の一例を示す図である。
【図１４】第２実施形態における作画端末装置が有する転送グループテーブルの一例を示す図である。
【図１５】第２実施形態としてのネットワーク監視システムの動作を説明するためのフローチャートである。
【図１６】第２実施形態としてのネットワーク監視システムの動作を説明するためのフローチャートである。
【図１７】（ａ）〜（ｃ）はそれぞれ第２実施形態としてのネットワーク監視システムの動作を説明するための転送データフォーマットの一例を示す図である。
【図１８】第２実施形態の第１変形例としてのネットワーク監視システムの構成を示すブロック図である。
【図１９】第２実施形態の第１変形例における作画端末装置が有する監視運用系情報テーブルの一例を示す図である。
【図２０】第２実施形態の第１変形例としてのネットワーク監視システムの動作を説明するためのフローチャートである。
【図２１】第２実施形態の第１変形例としてのネットワーク監視システムの動作を説明するためのフローチャートである。
【図２２】第２実施形態の第２変形例としてのネットワーク監視システムの構成を示すブロック図である。
【図２３】第２実施形態の第２変形例における作画端末装置が有する転送データベーステーブルの一例を示す図である。
【図２４】第２実施形態の第２変形例における作画端末装置が有するネットワーク構成情報の一例を示す図である。
【図２５】第２実施形態の第２変形例における作画端末装置が有する転送グループテーブルの一例を示す図である。
【図２６】第２実施形態の第２変形例における作画端末装置が有する監視運用系情報テーブルの一例を示す図である。
【図２７】第２実施形態の第２変形例としてのネットワーク監視システムの動作を説明するためのフローチャートである。
【図２８】第２実施形態の第２変形例としてのネットワーク監視システムの動作を説明するためのフローチャートである。
【図２９】（ａ）〜（ｃ）はそれぞれ第２実施形態の第２変形例としてのネットワーク監視システムの動作を説明するための転送データフォーマットの一例を示す図である。
【図３０】第２実施形態の第３変形例としてのネットワーク監視システムの構成を示すブロック図である。
【図３１】第２実施形態の第３変形例としてのネットワーク監視システムの動作を説明するためのフローチャートである。
【図３２】第２実施形態の第３変形例としてのネットワーク監視システムの動作を説明するためのフローチャートである。
【図３３】第２実施形態の第３変形例としてのネットワーク監視システムの動作を説明するためのフローチャートである。
【図３４】（ａ）〜（ｃ）はそれぞれ第２実施形態の第３変形例としてのネットワーク監視システムの動作を説明するための転送データフォーマットの一例を示す図である。
【図３５】第２実施形態の第３変形例としてのネットワーク監視システムの動作を説明するための図である。
【図３６】第２実施形態の第３変形例としてのネットワーク監視システムの動作を説明するための図である。
【図３７】第２実施形態の第４変形例としてのネットワーク監視システムの構成を示すブロック図である。
【図３８】第２実施形態の第４変形例における作画端末装置が有する転送データベーステーブルの一例を示す図である。
【図３９】第２実施形態の第４変形例における作画端末装置が有するネットワーク構成情報の一例を示す図である。
【図４０】第２実施形態の第４変形例における作画端末装置が有する転送グループテーブルの一例を示す図である。
【図４１】第２実施形態の第４変形例としてのネットワーク監視システムの動作を説明するためのフローチャートである。
【図４２】第２実施形態の第４変形例としてのネットワーク監視システムの動作を説明するためのフローチャートである。
【図４３】（ａ）〜（ｃ）はそれぞれ第２実施形態の第４変形例としてのネットワーク監視システムの動作を説明するための転送データフォーマットの一例を示す図である。
【図４４】第２実施形態の第４変形例としてのネットワーク監視システムの動作を説明するための転送管理テーブルの一例を示す図である。
【図４５】第２実施形態の第４変形例としてのネットワーク監視システムの動作を説明するための転送管理テーブルの一例を示す図である。
【図４６】本発明の第３実施形態としてのネットワーク監視システムの構成を示すブロック図である。
【図４７】第３実施形態における作画端末装置が有するデータベース更新情報の一例を示す図である。
【図４８】第３実施形態としてのネットワーク監視システムの動作を説明するための図である。
【図４９】本発明の第４実施形態としてのネットワーク監視システムの構成を示すブロック図である。
【図５０】第４実施形態における監視端末装置の構成を示すブロック図である。
【図５１】一般的なネットワーク監視システムの一例を示すブロック図である。
【符号の説明】
１  ネットワーク監視用端末装置（監視端末装置）
１Ａ，２Ａ，２Ａ−１〜２Ａ−５  データベース（ＤＢ）
１−Ａ，２−Ｂ  データベース転送部
１−Ｂ，２−Ｃ  データベース管理部
１−１  データベース受信部
１−２，２−２  転送先制御部
１−３，２−５  データベース送信部
１−４，２−７  応答時間確認部
１−５  データベース再生部
１−６，２−８  データベース分割部
１−７，２−９  データベース情報管理部
１−１１  データベース版数送信部
１−１２  データベース差分受信部
１−１３  受信情報書込部
１−１４  配信データ読込部
１−１５  ネットワーク監視用アプリケーション処理部
２  ネットワーク監視用データ作成用端末装置（作画端末装置）
２−Ａ  データベース作成部
２−１  データベース作成部
２−３  転送データベース管理部
２−４  ネットワーク構成管理部
２−６  転送系管理部
２−１１  データベース更新情報設定部
２−１２  データベース更新情報領域
２−１３  データベース版数受信部
２−１４  データベース版数確認部
２−１５  データベース差分送信部
３  データ入力部
３′  ディスプレイ
４〜６  転送グループ
１１  監視用データ受信部
１２  監視用データ転送制御部
１３，４０  監視用データ管理部
１４  更新用監視用データ受信部
１５  監視用データ更新制御部
２０  監視用データ生成部
２１  データ退避部
２２  入力情報要素変換部
２３  データベース（ＤＢ）生成制御部
２４  判定処理部
２５  変換処理部
２６  退避／復元処理部
２７  データ退避領域（データ退避部）
２８  入力過程表示部
２９Ａ  共通部分データベース（ＤＢ）抽出処理部
２９Ｂ  転送先情報処理部
３０  監視用データ転送部
３１  監視用データ転送制御部
４１  監視用データ比較部
４２  監視用データ更新制御部
１００−１〜１００−Ｎ  支店
２３１，２３１′  転送データベーステーブル
２３２，２３２′  転送グループテーブル
２３３  監視運用系情報テーブル
２３４  転送管理テーブル
４００  故障監視装置
５００  分岐装置
６００Ａ，６００Ｂ  信号検出装置
７００Ａ，７００Ｂ  監視端末制御装置
８００  ルータ
【図１】
0003658069.tif 000002
【図２】
0003658069.tif 000003
【図３】
0003658069.tif 000004
【図４】
0003658069.tif 000005
【図５】
0003658069.tif 000006
【図６】
0003658069.tif 000007
【図７】
0003658069.tif 000008
【図８】
0003658069.tif 000009
【図９】
0003658069.tif 000010
【図１０】
0003658069.tif 000011
【図１１】
0003658069.tif 000012
【図１２】
0003658069.tif 000013
【図１３】
0003658069.tif 000014
【図１４】
0003658069.tif 000015
【図１５】
0003658069.tif 000016
【図１６】
0003658069.tif 000017
【図１７】
0003658069.tif 000018
【図１８】
0003658069.tif 000019
【図１９】
0003658069.tif 000020
【図２０】
0003658069.tif 000021
【図２１】
0003658069.tif 000022
【図２２】
0003658069.tif 000023
【図２３】
0003658069.tif 000024
【図２４】
0003658069.tif 000025
【図２５】
0003658069.tif 000026
【図２６】
0003658069.tif 000027
【図２７】
0003658069.tif 000028
【図２８】
0003658069.tif 000029
【図２９】
0003658069.tif 000030
【図３０】
0003658069.tif 000031
【図３１】
0003658069.tif 000032
【図３２】
0003658069.tif 000033
【図３３】
0003658069.tif 000034
【図３４】
0003658069.tif 000035
【図３５】
0003658069.tif 000036
【図３６】
0003658069.tif 000037
【図３７】
0003658069.tif 000038
【図３８】
0003658069.tif 000039
【図３９】
0003658069.tif 000040
【図４０】
0003658069.tif 000041
【図４１】
0003658069.tif 000042
【図４２】
0003658069.tif 000043
【図４３】
0003658069.tif 000044
【図４４】
0003658069.tif 000045
【図４５】
0003658069.tif 000046
【図４６】
0003658069.tif 000047
【図４７】
0003658069.tif 000048
【図４８】
0003658069.tif 000049
【図４９】
0003658069.tif 000050
【図５０】
0003658069.tif 000051
【図５１】
0003658069.tif 000052